(57)【要約】【課題】経費をあまり掛けることなく即座にしかも確実にオーバーフロー対策する。【解決手段】河川１から分岐する分岐水路３に設置された羽根車１２を河川１の異常増水によるオーバーフロー水で回転させ、河川１と分岐水路３との境に設置されシャフト６に多数の円板７が間隔をあけて取り付けられた回転式円板スクリーン５に羽根車１２の回転力を伝達して円板スクリーン５を回転させることにより、河川１を流れる浮遊物の分岐水路３への侵入を防止する。【選択図】　　　図２
2004076474.tif 000002
【特許請求の範囲】
【請求項１】
主水路から分岐する分岐水路に設置された羽根車を上記主水路の異常増水によるオーバーフロー水で回転させ、
上記主水路と分岐水路との境に設置されシャフトに多数の円板が間隔をあけて取り付けられた回転式円板スクリーンに上記羽根車の回転力を伝達して該円板スクリーンを回転させることにより、上記主水路を流れる浮遊物の分岐水路への侵入を防止することを特徴とする浮遊物侵入防止方法。
【請求項２】
主水路と該主水路から分岐する分岐水路との境に設置されシャフトに多数の円板が間隔をあけて取り付けられた回転式円板スクリーンを備え、
上記主水路の異常増水によりオーバーフロー水が分岐水路に流入する際、上記円板スクリーンを回転させて上記主水路を流れる浮遊物の分岐水路への侵入を防止する浮遊物侵入防止装置であって、
上記分岐水路には、上記オーバーフロー水の水流により回転する羽根車が設置され、
上記円板スクリーンは、上記羽根車に駆動連結されてその回転力が伝達されることにより回転するように構成されていることを特徴とする浮遊物侵入防止装置。
【請求項３】
請求項２記載の浮遊物侵入防止装置において、
羽根車は、分岐水路の鉛直部に上下軸回りに回転自在に軸支されていることを特徴とする浮遊物侵入防止装置。
【請求項４】
請求項２記載の浮遊物侵入防止装置において、
円板スクリーンは、シャフトを上下方向に向けて複数直列に配置され、隣り合う円板スクリーンの各円板外周が所定の間隔を有して互いに接近していることを特徴とする浮遊物侵入防止装置。
【請求項５】
請求項４記載の浮遊物侵入防止装置において、
隣り合う円板スクリーン間には、隙間を覆うように遮蔽柱が立設されていることを特徴とする浮遊物侵入防止装置。
【請求項６】
請求項４記載の浮遊物侵入防止装置において、
円板スクリーンの隣り合う円板間には、該円板間に侵入した塵を除去する除塵板が挿入されていることを特徴とする浮遊物侵入防止装置。
【請求項７】
請求項２記載の浮遊物侵入防止装置において、
円板スクリーンは、複数直列に配置され、隣り合う円板スクリーンの各円板が互いに回転可能に噛み合っていることを特徴とする浮遊物侵入防止装置。
【発明の詳細な説明】
【０００１】
【発明の属する技術分野】
この発明は、主水路を流れる浮遊物が分岐水路に流れ込まないようにするための浮遊物侵入防止方法及びその装置の改良に関するものである。
【０００２】
【従来の技術】
河川等において、シャフトに多数の円板が間隔をあけて取り付けられた複数の円板スクリーンを並設し、これら円板スクリーンをシャフト回りに同一方向に回転させることにより、浮遊物がオーバーフロー水と共に河川等から排出側に流れ込まないようにした技術が開発されている（特許第２９８７２６６号公報、特開平１１−１４０８５１号公報及び特開平１０−１６８８５７号公報参照）。
【０００３】
【発明が解決しようとする課題】
しかし、上記の公報例ではいずれも、円板スクリーンをモータの駆動により回転させているため、河川等が異常増水によりオーバーフローしたことを人が気付き、その通報を受けてから慌ててモータを駆動させることになるので、対応が遅れる場合がある。また、モータが水没等によって故障している場合には対策の施しようがない。また、河川等がオーバーフローしたことを検知してその信号に基づいてモータを駆動させるにしても、制御系が故障した場合にはどうしようもない。さらに、モータがいる分だけ経費が嵩む。
【０００４】
この発明はかかる点に鑑みてなされたものであり、その目的とするところは、経費をあまり掛けることなく即座にしかも確実にオーバーフロー対策ができるようにすることである。
【０００５】
【課題を解決するための手段】
上記の目的を達成するため、この発明は、オーバーフロー水の水流を利用して円板スクリーンを回転させることを特徴とする。
【０００６】
具体的には、この発明は、浮遊物侵入防止方法及びその装置を対象とし、次のような解決手段を講じた。
【０００７】
すなわち、請求項１に記載の発明は、前者の浮遊物侵入防止方法に関するものであって、主水路から分岐する分岐水路に設置された羽根車を上記主水路の異常増水によるオーバーフロー水で回転させ、上記主水路と分岐水路との境に設置されシャフトに多数の円板が間隔をあけて取り付けられた回転式円板スクリーンに上記羽根車の回転力を伝達して該円板スクリーンを回転させることにより、上記主水路を流れる浮遊物の分岐水路への侵入を防止することを特徴とする。
【０００８】
請求項２〜７に記載の発明は、後者の浮遊物侵入防止装置に関するものであり、そのうち、請求項２に記載の発明は、主水路と該主水路から分岐する分岐水路との境に設置されシャフトに多数の円板が間隔をあけて取り付けられた回転式円板スクリーンを備え、上記主水路の異常増水によりオーバーフロー水が分岐水路に流入する際、上記円板スクリーンを回転させて上記主水路を流れる浮遊物の分岐水路への侵入を防止する浮遊物侵入防止装置であって、上記分岐水路には、上記オーバーフロー水の水流により回転する羽根車が設置され、上記円板スクリーンは、上記羽根車に駆動連結されてその回転力が伝達されることにより回転するように構成されていることを特徴とする。
【０００９】
上記の構成により、請求項１，２に記載の発明では、主水路がオーバーフローすれば、オーバーフロー水の水流により羽根車が自動的に回転し、この回転力が円板スクリーンに伝達されることから、円板スクリーンはオーバーフローするや否や即座に回転する。しかも、モータがいらない分だけ経費が掛からず、また、モータの故障ということもないので、円板スクリーンは確実に回転する。
【００１０】
請求項３に記載の発明は、請求項２に記載の発明において、羽根車は、分岐水路の鉛直部に上下軸回りに回転自在に軸支されていることを特徴とする。
【００１１】
上記の構成により、請求項３に記載の発明では、自重により落下するオーバーフロー水が羽根車に当たるので、羽根車が効率良く回転する。
【００１２】
請求項４に記載の発明は、請求項２に記載の発明において、円板スクリーンは、シャフトを上下方向に向けて複数直列に配置され、隣り合う円板スクリーンの各円板外周が所定の間隔を有して互いに接近していることを特徴とする。
【００１３】
上記の構成により、請求項４に記載の発明では、円板スクリーンの配列の一実施形態が具体化される。
【００１４】
請求項５に記載の発明は、請求項４に記載の発明において、隣り合う円板スクリーン間には、隙間を覆うように遮蔽柱が立設されていることを特徴とする。
【００１５】
上記の構成により、請求項５に記載の発明では、主水路を流れる浮遊物は、円板スクリーンに近づいても遮蔽柱に遮られて隣り合う円板スクリーン間に巻き込まれず、分岐水路に侵入しない。
【００１６】
請求項６に記載の発明は、請求項４に記載の発明において、円板スクリーンの隣り合う円板間には、該円板間に侵入した塵を除去する除塵板が挿入されていることを特徴とする。
【００１７】
上記の構成により、請求項６に記載の発明では、円板スクリーンの隣り合う円板間に侵入した塵が円板スクリーンの回転に伴って除塵板により除去されるため、円板スクリーンが目詰まりせず、主水路を流れる水が分岐水路にスムーズに流れ込む。
【００１８】
請求項７に記載の発明は、請求項２に記載の発明において、円板スクリーンは、複数直列に配置され、隣り合う円板スクリーンの各円板が互いに回転可能に噛み合っていることを特徴とする。
【００１９】
上記の構成により、請求項７に記載の発明では、円板スクリーンの配列の別の実施形態が具体化される。
【００２０】
【発明の実施の形態】
以下、この発明の実施の形態について図面に基づいて説明する。
【００２１】
（実施の形態１）
図１及び図２はこの発明の実施の形態１に係る浮遊物侵入防止装置Ｓが主水路としての河川１に適用された例を示し、河川１の横にはオーバーフロー水を誘導する誘導スペース２が設けられ、該誘導スペース２には円形誘導口２ａが形成され、該誘導口２ａには、下方に鉛直に延びてさらに水平方向に海へと向かって延びる分岐水路３が上記河川１から分岐して設けられている。
【００２２】
上記河川１と分岐水路３との境、つまり河川１と誘導スペース２との間には、河川１を流れる水Ｗの平常時の水位よりも高く設定された堰４が設けられている。そして、平常時は、水Ｗが河川１だけを流れて分岐水路３には流れ込まないようになっているが、大雨により水量が異常に増すと、オーバーフロー水が上記堰４を越えて分岐水路３に流れ込むようになっている。上記堰４の上端には回転式円板スクリーン５が４つ直列に配置され、河川１の異常増水によりオーバーフロー水が分岐水路３に流入する際、上記各円板スクリーン５を回転させて上記河川１を流れる浮遊物がオーバーフロー水と共に堰４を越えて分岐水路３に侵入するのを防止するようになっている。
【００２３】
上記各円板スクリーン５は、上下方向に延びるシャフト６に多数の円板７が同軸状に間隔（例えば４ｍｍ以下）をあけて取り付けられ、これら円板スクリーン５は隣り合う円板スクリーン５の各円板７外周が所定の間隔（例えば２．３ｍｍ）を有して互いに接近するように配置されている。上記各円板スクリーン５のシャフト６は、上記堰４の上下に配置された支持部材８に軸受（図示せず）により回転自在に軸支されている。
【００２４】
上記各円板スクリーン５のうち図１で左端の円板スクリーン５のシャフト６上端には、従動スプロケット９と連係スプロケット１０とが１つずつ固着されているとともに、他の円板スクリーン５のシャフト６上端には連係スプロケット１０が２つずつ固着され、隣り合う円板スクリーン５の２つの連係スプロケット１０はエンドレスの連係チェーン１１で駆動連結されている。
【００２５】
一方、上記分岐水路３の入口である鉛直部には、オーバーフロー水の水流により回転する羽根車１２が設置され、該羽根車１２は、上下方向に延びる上下軸１４の下端に複数枚の羽根１５が固着されて構成され、上記上下軸１４の上端が支持部材１３に支持されて分岐水路３の鉛直部に上下軸１４回りに回転自在に軸支されている。
【００２６】
上記羽根車１２の上下軸１４上端には、駆動スプロケット１６が１つ固着されている。この駆動スプロケット１６は、その隣の円板スクリーン５のシャフト６上端に固着されている従動スプロケット９にエンドレスの駆動チェーン１７で駆動連結されている。したがって、上記各円板スクリーン５は、従動スプロケット９、連係スプロケット１０、連係チェーン１１、駆動スプロケット１６及び駆動チェーン１７からなるチェーンスプロケット機構により、上記羽根車１２に駆動連結されてその回転力が伝達されることにより回転するように構成されている。
【００２７】
上記隣り合う円板スクリーン５間の河川１側には、隣り合う円板スクリーン５間の間隔を覆うように遮蔽柱１８が立設されている。また、上記各円板スクリーン５の分岐水路３側には、多数の除塵板１９が各円板スクリーン５の上下に隣り合う円板７間に対応するように上下に間隔をあけて支柱２０に支持されて配置され、これら除塵板１９は上記上下に隣り合う円板７間に挿入されて円板スクリーン５の回転動作により該円板７間に侵入した塵を除去するようになっている。
【００２８】
したがって、上記円板スクリーン５、羽根車１２、これらを駆動連結するチェーンスプロケット機構、遮蔽柱１８及び除塵板１９等により、この発明の実施の形態１に係る浮遊物侵入防止装置Ｓが構成されている。
【００２９】
そして、大雨等により河川１が異常に増水して水Ｗが堰４を越えてオーバーフローすると、オーバーフロー水が誘導スペース２から分岐水路３に誘導され、自重により落下する水流により羽根車１２が回転する。この回転力はチェーンスプロケット機構を介して各円板スクリーン５に伝達され、各円板スクリーン５が同期して河川１の流れと同一方向に回転し、これにより、河川１を流れる浮遊物の分岐水路３への侵入が防止される。
【００３０】
このように、この実施の形態１では、河川１のオーバーフロー水の水流により羽根車１２を自動的に回転させ、この回転力を円板スクリーン５に伝達するようにしていることから、円板スクリーン５をオーバーフローするや否や即座に回転させることができる。しかも、モータがいらないのでその分だけ経費を節減できるとともに、モータの故障による作動不能事態を回避して円板スクリーン５を確実に回転させることができる。
【００３１】
また、この実施の形態１では、羽根車１２を分岐水路３の鉛直部に上下軸１４回りに回転自在に軸支しているので、自重により落下するオーバーフロー水の勢いで羽根車１２を効率良く回転させることができる。
【００３２】
さらに、この実施の形態１では、隣り合う円板スクリーン５間に遮蔽柱１８を立設していることから、河川１を流れる浮遊物が円板スクリーン５に近づいても、浮遊物の円板スクリーン５間への巻き込みを防止して分岐水路３に侵入しないようにすることができる。
【００３３】
加えて、円板スクリーン５の上下に隣り合う円板７間に除塵板１９を挿入していることから、円板７間に侵入した塵を円板スクリーン５が回転することで除塵板１９により除去して円板スクリーン５の目詰まりを防止することができ、河川１を流れる水Ｗを分岐水路３にスムーズに流れ込ませることができる。
【００３４】
なお、図５に示すように、河川１に支流１ａを設けてこの支流１ａに上述の如き浮遊物侵入防止装置Ｓを設置してもよい。
【００３５】
（実施の形態２）
図３及び図４はこの発明の実施の形態２に係る浮遊物侵入防止装置Ｓが主水路としての河川１に適用された例を示す。本例では、河川１の中程に堰４を設けてそこに浮遊物侵入防止装置Ｓを設置している。３つの円板スクリーン５をカーブを描きながら直列に配置している。羽根車１２は堰４の片側から上方に突出する平面視Ｖ字形の突出部２ｂに支持している。そのほかは実施の形態１と同様に構成されているので、同一構成箇所には同一の符号を付してその詳細な説明を省略する。
【００３６】
したがって、この実施の形態２では、実施の形態１と同様の作用効果を奏することができるものである。
【００３７】
なお、図６に示すように、河川１の曲がり角に上述の如き浮遊物侵入防止装置Ｓを設置してもよい。
【００３８】
（実施の形態３）
図７及び図８はこの発明の実施の形態３に係る浮遊物侵入防止装置Ｓが主水路としての河川１に適用された例を示す。本例では、６つの円板スクリーン５を直列に配置し、隣り合う円板スクリーン５の各円板７を互いに回転可能に噛み合わせている。そのほかは実施の形態１と同様に構成されているので、同一構成箇所には同一の符号を付してその詳細な説明を省略する。
【００３９】
したがって、この実施の形態３においても、実施の形態１と同様の作用効果を奏することができるものである。
【００４０】
なお、上記の各実施形態では、いずれも浮遊物侵入防止装置Ｓを河川１に適用した場合を示したが、下水管にも適用することができるものである。
【００４１】
【発明の効果】
以上説明したように、請求項１〜７に係る発明によれば、主水路から分岐する分岐水路に羽根車を設置し、この羽根車をオーバーフロー水で回転させてこの回転力を円板スクリーンに伝達して該円板スクリーンを回転させることにより、浮遊物が主水路を流れ込まないようにしているので、主水路のオーバーフローと同時に円板スクリーンを回転させることができる。しかも、モータがいらないので、コストダウンを図ることができるとともに、モータの故障もないので確実に円板スクリーンを回転させることができる。特に、請求項３に係る発明によれば、羽根車を分岐水路の鉛直部に上下軸回りに回転自在に軸支することで、落下するオーバーフロー水の勢いで羽根車を効率良く回転させることができる。また、請求項５に係る発明によれば、隣り合う円板スクリーン間に遮蔽柱を立設してその隙間を覆ったので、主水路を流れる浮遊物が円板スクリーン間を経て分岐水路に侵入しないようにすることができる。さらに、請求項６に係る発明によれば、各円板スクリーンの隣り合う円板間に除塵板を挿入したので、円板間に侵入した塵を目詰まりしないように除去して主水路を流れる水を分岐水路にスムーズに流れ込ませることができる。
【図面の簡単な説明】
【図１】実施の形態１に係る浮遊物侵入防止装置が河川に適用された平面図である。
【図２】図１を左方向から見た断面図である。
【図３】実施の形態２に係る浮遊物侵入防止装置が河川に適用された平面図である。
【図４】図３を左方向から見た断面図である。
【図５】実施の形態１に係る浮遊物侵入防止装置の別の適用例である。
【図６】実施の形態２に係る浮遊物侵入防止装置の別の適用例である。
【図７】実施の形態３に係る浮遊物侵入防止装置が河川に適用された平面図である。
【図８】図７において浮遊物侵入防止装置を対岸側から見た図である。
【符号の説明】
１　　　　　　河川（主水路）
３　　　　　　分岐水路
５　　　　　　円板スクリーン
６　　　　　　シャフト
７　　　　　　円板
１２　　　　　　羽根車
１８　　　　　　遮蔽柱
１９　　　　　　除塵板
Ｓ　　　　　　浮遊物侵入防止装置
【図１】
2004076474.tif 000003
【図２】
2004076474.tif 000004
【図３】
2004076474.tif 000005
【図４】
2004076474.tif 000006
【図５】
2004076474.tif 000007
【図６】
2004076474.tif 000008
【図７】
2004076474.tif 000009
【図８】
2004076474.tif 000010